(57)【要約】      （修正有）【課題】複数の太陽電池モジュールで発電された直流電力が並列に接続箱へ入力され、接続箱で一つの発電電力に集電されて電力変換装置に入力される電力変換システムにおいて、接続箱と電力変換装置の配置を考慮して、接続箱と電力変換装置との間の電力配線のし易い電力変換システムを提供する。【解決手段】接続箱２と電力変換装置３は、接続箱２が屋外側で電力変換装置３が屋内側となる向かい合わせ状態に建物の壁Ｋに配置され、建物の壁Ｋに形成された貫通孔２０を通してケーブル３０Ａの両端にケーブルコネクタ３０Ｂを一体形成した一体型接続ケーブル３０によって電気的に接続する。【選択図】図４
2017200316.tif 000002
【特許請求の範囲】
【請求項１】
直流電源からの直流電力が接続箱へ入力され、前記接続箱で集電された直流電力が電力
変換装置によって交流電力に変換される電力変換システムにおいて、
前記接続箱と前記電力変換装置は、建物の壁に横方向に貫通形成した貫通孔に対して、
前記接続箱が屋外側で前記電力変換装置が屋内側となる向かい合わせ状態で配置され、前
記貫通孔を通して電気的に接続されることを特徴とする電力変換システム。
【請求項２】
直流電源からの直流電力が接続箱へ入力され、前記接続箱で集電された直流電力が電力
変換装置によって交流電力に変換される電力変換システムにおいて、
前記接続箱と前記電力変換装置は、建物の壁に横方向に貫通形成した貫通孔に対して、
前記接続箱が屋外側で前記電力変換装置が屋内側となる向かい合わせ状態で配置され、
ケーブルの両端にケーブルコネクタを設けた接続ケーブルが前記貫通孔に配置され、
前記接続箱は前記接続ケーブルの屋外側のケーブルコネクタに接続される接続箱側コネ
クタを有し、
前記電力変換装置は前記接続ケーブルの屋内側のケーブルコネクタに接続される電力変
換装置側コネクタを有し、
前記接続箱と前記電力変換装置は、前記接続ケーブルにて電気的に接続されることを特
徴とする電力変換システム。
【請求項３】
前記接続ケーブルの屋内側のケーブルコネクタは前記壁から屋内へ突出し、前記屋外側
のケーブルコネクタは前記壁から屋外へ突出し、
前記接続箱側コネクタは前記接続箱内に配置され、前記電力変換装置側コネクタは前記
電力変換装置内に配置されることを特徴とする請求項２に記載の電力変換システム。
【請求項４】
前記接続箱側コネクタは、前記接続ケーブルの屋外側のケーブルコネクタ及び前記貫通
孔に対して防水構造であることを特徴とする請求項２または請求項３に記載の電力変換シ
ステム。
【請求項５】
前記直流電源は複数の太陽電池モジュールまたは太陽電池ストリングスを備え、前記接
続箱は前記太陽電池モジュールまたは太陽電池ストリングスごとに昇圧回路と、各昇圧回
路で昇圧した直流電力の集電回路を備え、前記電力変換装置は前記集電回路から出力され
た直流電力を所定の交流電力に変換するインバータを備えることを特徴とする請求項１乃
至請求項４のいずれかに記載の電力変換システム。
【発明の詳細な説明】
【技術分野】
【０００１】
本発明は、太陽電池などの外部の直流電源からの直流電力を入力し電力変換装置によっ
て交流電力に変換する電力変換システムに関し、特に、外部の直流電源と電力変換装置と
の間に接続箱を設ける電力変換システムに関する。
【背景技術】
【０００２】
建物の屋根などに設置した複数枚の太陽電池モジュールで発電された直流電力が並列に
接続箱へ入力され、接続箱で一つの発電電力に集電され、インバータと称する電力変換装
置に入力され、電力変換装置によって交流電力に変換し、その交流電力を商用電力系統（
ＧＲＩＤ）へ供給する電力変換システムがある（特許文献１）。
【先行技術文献】
【特許文献】
【０００３】
【特許文献１】特開２０１４−０７５２７２号公報
【発明の概要】
【発明が解決しようとする課題】
【０００４】
このような電力変換システムは、複数の太陽電池モジュールで発電された直流電力が並
列に接続箱へ入力され、接続箱で一つの発電電力に集電されて電力変換装置に入力される
。このため、外部の直流電源の交換や増設に容易に対応できる効果があるが、接続箱と電
力変換装置との間の電力配線のし易さが課題である。
【０００５】
本発明は、外部の直流電源の交換や増設に容易に対応できる効果を奏することができる
とともに、接続箱と電力変換装置の配置を考慮して、接続箱と電力変換装置との間の電力
配線のし易い電力変換システムを提供する。
【課題を解決するための手段】
【０００６】
本発明の電力変換システムは、太陽電池などの直流電源からの直流電力が接続箱へ入力
され、前記接続箱で集電された直流電力が電力変換装置によって交流電力に変換される電
力変換システムにおいて、
前記接続箱と前記電力変換装置は、建物の壁に横方向に貫通形成した貫通孔に対して、
前記接続箱が屋外側で前記電力変換装置が屋内側となる向かい合わせ状態で配置され、前
記貫通孔を通して電気的に接続されることを特徴とする。
【０００７】
本発明の他の電力変換システムは、太陽電池などの外部の直流電源からの直流電力が接
続箱へ入力され、前記接続箱で集電された直流電力が電力変換装置によって交流電力に変
換される電力変換システムにおいて、
前記接続箱と前記電力変換装置は、建物の壁に横方向に貫通形成した貫通孔に対して、
前記接続箱が屋外側で前記電力変換装置が屋内側となる向かい合わせ状態で配置され、
ケーブルの両端にケーブルコネクタを設けた接続ケーブルが前記貫通孔に配置され、
前記接続箱は前記接続ケーブルの屋外側のケーブルコネクタに接続される接続箱側コネ
クタを有し、
前記電力変換装置は前記接続ケーブルの屋内側のケーブルコネクタに接続される電力変
換装置側コネクタを有し、
前記接続箱と前記電力変換装置は、前記接続ケーブルにて電気的に接続されることを特
徴とする。
【発明の効果】
【０００８】
本発明によれば、接続箱が屋外側で電力変換装置が屋内側となる向かい合わせ状態で電
気的に接続されるため、両者間の配線部分が外部に現れず、危険の回避効果と意匠的効果
に優れ、外部直流電源としての太陽電池モジュールや太陽電池ストリングスの交換や増設
に容易に対応できる。
【図面の簡単な説明】
【０００９】
【図１】本発明に係る太陽光発電装置ＰＶで発電した直流電力を所定の交流電力に変換する電力変換システム１の構成を示す説明図である。
【図２】本発明に係る各太陽電池モジュールＰＶ１〜ＰＶ４に対応する接続箱２内の回路構成を示す説明図である。
【図３】本発明に係る一つの太陽電池モジュールに係る回路構成を示す説明図である。
【図４】本発明に係る接続箱と電力変換装置が壁Ｋに取り付けられる状態を説明する説明図である。
【図５】本発明に係る一体型接続ケーブルのケーブルコネクタ３０Ｂと対応する接続箱側コネクタ１０のコネクタ部１０Ａ及び電力変換装置側コネクタ１１のコネクタ部１１Ａの関係の説明図である。
【図６】本発明に係る接続箱と電力変換装置が壁Ｋに取り付けられた状態を説明する説明図である。
【図７】本発明に係る接続箱と電力変換装置が壁Ｋに取り付けられた状態を平面視で説明する説明図である。
【図８】本発明に係る電力変換装置の外観図であり、（イ）は正面図、（ロ）は上面図、（ハ）は下面図、（ニ）は左側面図、（ホ）は右側面図である。
【図９】本発明に係る接続箱の外観図であり、（イ）は正面図、（ロ）は上面図、（ハ）は下面図、（ニ）は左側面図、（ホ）は右側面図である。
【発明を実施するための形態】
【００１０】
本実施形態は、太陽電池などの外部直流電源からの直流電力が接続箱へ入力され、前記
接続箱で集電された直流電力が電力変換装置によって交流電力に変換される電力変換シス
テムにおいて、
前記接続箱と前記電力変換装置は、建物の壁に横方向に貫通形成した貫通孔に対して、
前記接続箱が屋外側で前記電力変換装置が屋内側となる向かい合わせ状態で配置され、
ケーブルの両端にケーブルコネクタを設けた接続ケーブルが前記貫通孔に配置され、
前記接続箱は前記接続ケーブルの屋外側のケーブルコネクタに接続される接続箱側コネ
クタを有し、
前記電力変換装置は前記接続ケーブルの屋内側のケーブルコネクタに接続される電力変
換装置側コネクタを有し、
前記接続箱と前記電力変換装置は、前記接続ケーブルにて電気的に接続されることを特
徴とする電力変換システムである。
【００１１】
本発明の実施形態に係る電力変換システム１は、複数の太陽電池モジュールで発電した
直流電力が並列に接続箱２へ入力され、接続箱２で集電された直流電力が電力変換装置３
によって、商用電力系統（ＧＲＩＤ）へ重畳可能な交流に変換する交流電力に変換される
。
以下にその実施例を図に基づき説明する。実施例は、外部の直流電源を複数の太陽電池
モジュールで構成する太陽光発電装置ＰＶとするものである。
【００１２】
図１及び図２は、太陽光発電装置ＰＶで発電した直流電力を所定の交流電力に変換する
電力変換システム１の構成を示す説明図である。図１には、太陽光発電装置ＰＶを４個の
太陽電池モジュールＰＶ１〜ＰＶ４で構成する場合を示している。
【００１３】
図１及び図２において、太陽光発電装置ＰＶで発電した直流電力は、接続箱２に入りコ
ンバータＤ／Ｄで昇圧され、昇圧された直流電力が接続箱２から電力変換装置３へ入力さ
れる。電力変換装置３は、直流・交流変換回路（インバータという）Ｄ／Ａを備え、接続
箱２から出力される昇圧された直流電力をインバータＤ／Ａによって、商用電力系統ＧＲ
ＩＤの周波数に同期する所定の交流電力に変換する。インバータＤ／Ａによって変換され
た交流電力は、リレーＲＹを介して商用電力系統ＧＲＩＤと必要な負荷へ出力される。
【００１４】
電力変換装置３は、各コンバータＤ／Ｄで昇圧した電力を複数のスイッチング素子Ｓ２
で構成するインバータＤ／Ａで商用電力系統ＧＲＩＤの周波数に同期する疑似正弦波に変
換し、交流用リアクトルＬ２、コンデンサＣ２を含むローパスフィルタＬＰＦで高周波成
分をカットまたは充分に減衰させて正弦波状に近づけ、リレー接点ＲＹを介して商用電力
系統ＧＲＩＤや負荷へ出力する構成である。
【００１５】
電力変換装置３は、インバータＤ／ＡやローパスフィルタＬＰＦを構成する電気部品が
本体３Ａ内に収容されている。図８等に示すように、本体３Ａは、上壁、下壁、左壁、右
壁、及び背壁で囲まれ前面開口を有する矩形状の箱を構成し、蓋体３Ｂは、本体３Ａの前
面開口の周縁を巡る環状フランジに対し、４隅を取り付けネジによって着脱自在に取り付
ける構成である。蓋体３Ｂの前面（正面）下部には、本体３Ａ内に配置したコントロール
パネル部３Ｃが臨む操作窓が設けられている。コントロールパネル部３Ｃには、発電電力
や積算電力などの表示部と、運転及び停止スイッチ操作部などが配置されている。主とし
て本体３Ａの上壁及び下壁には、本体３Ａの内部に収容した電気部品の発熱を放出させる
ための空気の流入と流出のための放熱孔３Ｄが形成され、その中のスリット状の放熱孔３
Ｄ１は、インバータＤ／Ａの放熱用ヒートシンクのフィンに対応する放熱用空気の流入と
流出のための孔である。
【００１６】
接続箱２は、図９等に示すように、上壁、下壁、左壁、右壁、及び背壁で囲まれ前面開
口を有する矩形状の本体２Ａを構成し、前面開口は、本体２Ａにネジによって取り外し可
能な蓋体２Ｂによって閉じている。主として本体２Ａの上壁及び下壁には、本体２Ａの内
部に収容した電気部品の発熱を放出させるための空気の流入と流出のための放熱孔２Ｄが
形成されている。尚、接続箱２は屋外に配置されるため放熱孔２Ｄを塞がれた防水構造（
密閉構造）がとられるようにしても良い。
【００１７】
図２には、各太陽電池モジュールＰＶ１〜ＰＶ４に対応する接続箱２内の回路構成を示
す。接続箱２は、建物の屋根などに設置した複数の太陽電池モジュールＰＶ１〜ＰＶ４で
発電された直流電力は、太陽電池モジュールごとにプラス電力ラインとマイナス電力ライ
ンの２本の入力ラインから手動切り替えスイッチＳＷを介してそれぞれ対応するにコンバ
ータＤＣ／ＤＣに入力される。この２本の入力ラインは、接続箱２の本体２Ａの背面下部
の左右の一方側（実施例では正面視で右側）で、本体２Ａ内に配置した入力側コネクタ（
図示せず）に接続される。
【００１８】
各コンバータＤ／Ｄで昇圧された直流電力は、各コンバータＤ／Ｄに対応して設けたダ
イオードＤ１〜Ｄ４で構成する集電回路５によって単一の発電電力に集電され、プラス電
力ラインＸ１とマイナス電力ラインＹ１から出力される。
【００１９】
集電回路５で集電された接続箱２の出力ラインは、プラス電力ラインＸ１と、マイナス
電力ラインＹ１と、アースラインＺの３本のラインである。アースラインＺは、接続箱２
の本体２Ａと電力変換装置３の本体３Ａの双方に接続するアースラインである。この３本
のラインは、接続箱２の本体２Ａの背面下部の左右の一方側（実施例では正面視で左側）
で、本体２Ａ内に配置した接続箱側コネクタ１０に接続される。
【００２０】
太陽電池モジュールＰＶ１に係る回路構成を図３に示す。接続箱２は、太陽電池モジュ
ールＰＶ１で発電した直流電力を取り入れる回路を断続する手動スイッチＳＷと、手動ス
イッチＳＷを通った直流電力を昇圧するコンバータＤ／Ｄと、ダイオードＤ１〜Ｄ４で構
成する集電回路５を備える。コンバータＤ／Ｄは直流電力を昇圧するため、昇圧回路とも
いう。コンバータＤ／Ｄの一つの構成として、直流用リアクトルＬ１、スイッチング素子
Ｓ１、ダイオードＤ１、平滑用のコンデンサＣ１を含み、所定電圧に昇圧する構成である
。太陽電池モジュールＰＶ２〜ＰＶ４についても同様の構成である。
【００２１】
インバータＤ／Ａは、接続箱２から出力される昇圧した直流電力を複数のスイッチング
素子Ｓ２で構成する回路によって、商用電力系統ＧＲＩＤの周波数に同期する疑似正弦波
交流電力に変換する。この変換した電力を交流用リアクトルＬ２、コンデンサＣ２を含む
ローパスフィルタＬＰＦで高周波成分をカットまたは充分に減衰させた状態で、リレー接
点ＲＹを介して商用電力系統ＧＲＩＤへ出力する。
【００２２】
コンバータＤ／Ｄ、インバータＤ／Ａ及びリレー接点ＲＹは、制御回路ＣＰによって動
作が制御される構成である。リレー接点ＲＹは、商用電力系統ＧＲＩＤへの出力ラインの
開閉接点のほかに、交流負荷への出力ラインの開閉接点を有する形態とすることができる
。
制御回路ＣＰは、電力変換装置３の本体３Ａ内に配置される。また、リレー接点ＲＹも
電力変換装置３の本体３Ａ内に配置することができる。
【００２３】
電力変換装置３は、接続箱２の接続箱側コネクタ１０と電気的に接続される入力ライン
は、プラス電力ラインＸ２と、マイナス電力ラインＹ２と、アースラインＺの３本のライ
ンである。この３本のラインは、本体３Ａの背面下部の左右の一方側（実施例では正面視
で右側）で、本体３Ａ内に配置した電力変換装置側コネクタ１１に接続される。
【００２４】
接続箱２と電力変換装置３は、建物の壁Ｋに横方向（略水平状態）に貫通形成した貫通
孔２０に対して、接続箱２が屋外側で電力変換装置３が屋内側となる向かい合わせ状態で
配置され、貫通孔２０に収容配置した一体型接続ケーブル３０によって、接続箱２の出力
ラインであるプラス電力ラインＸ１と、マイナス電力ラインＹ１と、アースラインＺの３
本のラインは、それぞれ対応する電力変換装置３の入力ラインであるプラス電力ラインＸ
２と、マイナス電力ラインＹ２と、アースラインＺに、一体型接続ケーブル３０によって
電気的に接続される。
この構成を以下に記載する。
【００２５】
壁Ｋに貫通形成した貫通孔２０に一体型接続ケーブル３０が収容配置される。図４に示
すように、一体型接続ケーブル３０は、ケーブル３０Ａの両端にケーブルコネクタ３０Ｂ
を一体形成したものを単一ケーブル３０Ｐとした３本構成であり、この単一ケーブル３０
Ｐの３本を一組として一体型接続ケーブル３０を構成する。単一ケーブル３０Ｐの３本が
分離した状態で電気絶縁性のケーブル支持体４０に並行状態に支持されている。
【００２６】
ケーブル支持体４０は、壁Ｋに貫通形成した貫通孔２０に嵌合状態で挿入支持される。
具体的には、貫通孔２０に嵌合状態に取り付けた貫通パイプ４１内に、一体型接続ケーブ
ル３０を取り付けたケーブル支持体４０を嵌合状態に取り付ける。
この状態で、貫通パイプ４１の屋外側端部４１Ａと、ケーブル支持体４０の屋外側端部
４０Ａが、壁Ｋよりも屋外へ突出する。この状態で、屋外側のケーブルコネクタ３０Ｂは
、貫通パイプ４１の屋外側端部４１Ａとケーブル支持体４０の屋外側端部４０Ａよりも更
に壁Ｋから屋外へ突出する状態である。
【００２７】
このように、ケーブル支持体４０は、各単一ケーブル３０Ｐを電気的に絶縁状態に保持
し、且つ貫通パイプ４１内に嵌合状態に挿入支持するために、天然材または合成樹脂材に
より形成された弾力性材で構成されるのが望ましい。
また、単一ケーブル３０Ｐは、直線状形態をなすことにより、壁Ｋを貫通する貫通孔２
０が最短長さとなる直線状に形成でき、貫通パイプ４１、ケーブル支持体４０、一体型接
続ケーブル３０も最短長さとなる。
【００２８】
図５に示すように、各単一ケーブル３０Ｐの屋内側のケーブルコネクタ３０Ｂ及び屋外
側のケーブルコネクタ３０Ｂは、それぞれ対応する接続箱側コネクタ１０のコネクタ部１
０Ａ及び電力変換装置側コネクタ１１のコネクタ部１１Ａが侵入することによって嵌り合
い、電気的に接続される公知の構成である。
【００２９】
接続箱側コネクタ１０は、それぞれ３本のコネクタ部１０Ａが電気的分離した状態に、
合成樹脂製のコネクタ支持体５０Ａ内に並行状態に支持されている。電力変換装置側コネ
クタ１１は、それぞれ３本のコネクタ部１１Ａが電気的分離した状態に、合成樹脂製のコ
ネクタ支持体５０Ｂ内に並行状態に支持されている。接続箱側コネクタ１０は、ケーブル
支持体４０の屋外端部４０Ａ及び貫通パイプ４１の屋外側端部４１Ａが、全周で嵌り込む
ように、コネクタ支持体５０Ａ内に収容される形態である。
【００３０】
接続箱側コネクタ１０の３本のコネクタ部１０Ａは、接続箱２の出力ラインであるプラ
ス電力ラインＸ１、マイナス電力ラインＹ１、アースラインＺとそれぞれ電気的に接続さ
れる。また、電力変換装置側コネクタ１１の３本のコネクタ部１１Ａは、電力変換装置３
の入力ラインであるプラス電力ラインＸ２、マイナス電力ラインＹ２、アースラインＺと
それぞれ電気的に接続される。
【００３１】
図４に示すように、貫通パイプ４１とケーブル支持体４０は、その屋外側端部４１Ａと
屋外側端部４０Ａが壁Ｋよりも屋外へ突出する状態に貫通孔２０に嵌合状態で取り付け、
この状態で、図６に示すように、壁Ｋの屋外側には、一体型接続ケーブル３０の屋外側の
ケーブルコネクタ３０Ｂと接続箱側コネクタ１０のコネクタ部１０Ａが接続する状態に、
接続箱２が壁Ｋに取り付けられる。この状態で、ケーブル支持体４０の屋外端部４０Ａ及
び貫通パイプ４１の屋外側端部４１Ａが、コネクタ支持体５０Ａ内に全周で嵌り込む。
【００３２】
また、壁Ｋの屋内側には、一体型接続ケーブル３０の屋内側のケーブルコネクタ３０Ｂ
と電力変換装置側コネクタ１１のコネクタ部１１Ａが接続する状態に、電力変換装置３が
壁Ｋに取り付けられる。接続箱２及び電力変換装置３の壁Ｋへの取り付けは、壁Ｋ内に設
けられた補強部材（図示せず）に対してネジやその他の手段によって脱落しないように取
り付ける。
このような接続によって、接続箱２と電力変換装置３が電気的に接続される。
尚、接続箱２、及び電力変換装置３を壁Ｋに取り付ける際には、壁Ｋに夫々接続箱２や
電力変換装置３を支えるための取付板を設けると良い（取付板は不図示）。このように取
付板により接続箱２及び電力変換装置３が壁Ｋに支持されるようにすると、コネクタへの
自重による負荷が軽減される。
【００３３】
接続箱２が壁Ｋに取り付けられた状態で、一体型接続ケーブル３０の屋外側のケーブル
コネクタ３０Ｂと接続箱側コネクタ１０のコネクタ部１０Ａが接続し、ケーブル支持体４
０の屋外端部４０Ａがコネクタ支持体５０Ａ内に嵌り込む。ケーブル支持体４０とコネク
タ支持体５０Ａとの間に防水パッキンを介在させることにより、接続箱側コネクタ１０と
一体型接続ケーブル３０の屋外側のケーブルコネクタ３０Ｂが防水構造となり、屋外側の
電気接続部分が防水状態となる。また、ケーブル支持体４０と貫通孔２０の屋外側開口部
分をシール材でシールすることにより、屋外から建物内への雨水の侵入を防止できる。
【００３４】
図８に示すように、貫通孔２０に嵌合支持されるケーブル支持体４０には、３本の一体
型接続ケーブル３０の配置の他に、一体型接続ケーブル３０と同様のものが１本、追加用
一体型ケーブル６０として独立して配置されている。これは、制御回路ＣＰが電力変換装
置３に含まれる場合には、コンバータＤ／Ｄと制御回路ＣＰとを接続する制御ラインが壁
Ｋを貫通する必要があるため、コントロール用に追加用一体型ケーブル６０を利用する。
この場合、ケーブル支持体４０の屋外側端部４０Ａがコネクタ支持体５０Ａ内に嵌合する
ことにより４本の一体型接続ケーブルが防水構造となる。
なお、制御回路ＣＰが接続箱２に収容するコンバータＤ／Ｄ用と、電力変換装置３の本
体３Ａに収容する電力変換装置３用とに別々の構成とする場合は、この追加用一体型ケー
ブル６０は不要である。
【００３５】
上記のように、本発明に係る電力変換システム１は、複数の太陽電池モジュールで発電
した直流電力が並列に接続箱２へ入力され、接続箱２で集電された直流電力が電力変換装
置３によって、商用電力系統（ＧＲＩＤ）へ重畳可能な交流に変換する交流電力に変換さ
れる。
このため、接続箱２内の回路構成は上記の構成に限定されず、例えば、コンバータＤ／
Ｄは、接続箱２に設けずインバータＤ／Ａの前段回路として、電力変換装置３に含ませる
ことができる。この場合、図２を参照すれば、接続箱２には複数の太陽電池モジュールＰ
Ｖ１〜ＰＶ４で発電した直流電力が各スイッチＳＷ１〜ＳＷ４を通って並列に接続箱２へ
入力し、各スイッチＳＷ１〜ＳＷ４を通った直流電力は、各ダイオードＤ１〜Ｄ４を通っ
たプラスラインＸとマイナスラインＹに集電されて、各コンバータＤ／Ｄへ入力されるよ
うに構成することができる。
【００３６】
上記では、接続箱２と電力変換装置３は、壁Ｋの貫通孔２０に配置する一体型接続ケー
ブル３０によって電気的に接続したが、一体型接続ケーブル３０に替わって他の電気接続
方式を採用することもできる。
【００３７】
本発明によって、太陽電池モジュールＰＶ１〜ＰＶ４ごとにコンバータＤ／Ｄを接続箱
２に設けることにより、太陽電池モジュールＰＶ１〜ＰＶ４の交換や増設に容易に対応で
きる。更に、接続箱２と電力変換装置３とを壁Ｋを挟んで向かい合わせ状態に配置し、壁
Ｋの貫通孔２０に一体型接続ケーブル３０を採用することによって、接続箱２と電力変換
装置３との間の電力配線のし易さと、接続箱２と電力変換装置３の取り付けのし易い電力
変換システムを提供できる。
【００３８】
上記では、太陽光発電装置ＰＶを４個の太陽電池モジュールＰＶ１〜ＰＶ４で構成する
場合を示したが、これに限定されるものではなく、必要に応じて太陽電池モジュールを増
減することができ、その場合も上記同様の構成とすることにより、所期の目的を達成でき
る。
【００３９】
また、上記では太陽光発電装置ＰＶを太陽電池モジュールで構成した場合を説明したが
、太陽電池モジュールは、複数の太陽電池セルを配置して直列接続しており、太陽電池モ
ジュールの１枚当りの出力が小さい場合は、複数枚の太陽電池モジュールを直列接続して
一つのグループを太陽電池ストリングスとして構成し、この太陽電池ストリングスを４個
のＰＶ１〜ＰＶ４とし、接続箱２は太陽電池ストリングスごとに昇圧回路Ｄ／Ｄと、各昇
圧回路Ｄ／Ｄで昇圧した直流電力の集電回路５を備える構成でもよい。太陽電池ストリン
グスを増減する場合も、上記同様の構成とすることができる。
【００４０】
外部の直流電源として、太陽電池を取り上げたが、この他に燃料電池、風力発電機、波
動発電機などが本発明に適用できる。
【００４１】
また、図２に示すように、太陽電池モジュールＰＶ１〜ＰＶ４と接続箱２を接続する配
線ケーブルや、電力変換装置３とその出力先（例えば建物の分電盤）とを接続する配線ケ
ーブルを壁Ｋの外側から配線しているが、壁Ｋの内側を通して配線するようにしても良い
。その際には一体型接続ケーブル３０のケーブル支持体４０に貫通孔を設けて配線ケーブ
ルをケーブル支持体４０の中へ通して配線しても良いし、一体型接続ケーブル３０に配線
ケーブルを接続するためのコネクタを設けて壁Ｋの中で配線ケーブルと接続するようにし
ても良い。また、単純に配線ケーブルを一体型接続ケーブル３０の横からと一緒に壁の外
に出すように配線しても良い。
【符号の説明】
【００４２】
１・・・・・電力変換システム
２・・・・・接続箱
３・・・・・電力変換装置
５・・・・・集電回路
１０・・・・接続箱側コネクタ
１０Ａ・・・コネクタ部
１１・・・・電力変換装置側コネクタ
１１Ａ・・・コネクタ部
２０・・・・貫通孔
３０・・・・一体型接続ケーブル
３０Ａ・・・ケーブル
３０Ｂ・・・ケーブルコネクタ
３０Ｐ・・・単一ケーブル
４０・・・・ケーブル支持体
５０Ａ・・・コネクタ支持体
５０Ｂ・・・コネクタ支持体
６０・・・・追加用一体型ケーブル
Ｋ・・・・・壁
ＰＶ・・・・太陽光発電装置
Ｄ／Ｄ・・・コンバータ
Ｄ／Ａ・・・インバータ
ＧＲＩＤ・・商用電力系統
【図１】
2017200316.tif 000003
【図２】
2017200316.tif 000004
【図３】
2017200316.tif 000005
【図４】
2017200316.tif 000006
【図５】
2017200316.tif 000007
【図６】
2017200316.tif 000008
【図７】
2017200316.tif 000009
【図８】
2017200316.tif 000010
【図９】
2017200316.tif 000011